(57)【要約】【課題】観察対象を拡大視認する際の使用感を踏まえた上での真に使い勝手のよい拡大観察用器具を提供する。【解決手段】医療用双眼式ルーペ１では、拡大レンズ１１が、観察者の目の縦方向への移動に伴う視線領域を、観察者の目の横方向への移動に伴う視線領域よりも広くカバーする縦長形状を有し、且つ、観察者の目の横方向外側への移動に伴う視線領域を、観察者の目の横方向内側への移動に伴う視線領域よりも狭くカバーする位置に配置されている構成とした。これにより、観察者の目の縦方向および横方向内側への移動に伴う視線領域広くカバーされている分、観察者が拡大レンズを通して視認する際の視野をより広く確保することが可能となり、不要時には観察者の目の横方向外側への移動（顔を動かすことによる目の移動も含む）により、観察対象を拡大して視認したり等倍で視認したりすることができる。【選択図】図１
0003183362.tif 000002
【実用新案登録請求の範囲】
【請求項１】
観察者の顔の一部または頭部に着用される着用物に取り付けられて、観察対象を拡大して該観察者に視認させるための拡大レンズであって、該観察者の目に対する前方位置に支持される拡大レンズを備える拡大観察用器具において、
前記拡大レンズは、前記前方位置にて、前記観察者の目の縦方向への移動に伴う視線領域を、前記観察者の目の横方向への移動に伴う視線領域よりも広くカバーする縦長形状を有し、且つ、前記前方位置として、前記観察者の目の横方向外側への移動に伴う視線領域を、前記観察者の目の横方向内側への移動に伴う視線領域よりも狭くカバーする位置に配置されていることを特徴とする拡大観察用器具。
【請求項２】
前記観察者の両目の各々に対する前方位置に支持される一対の前記拡大レンズを備え、
前記拡大レンズは、曲線形状を有し、且つ、前記前方位置として、前記観察者の両目によって拡大視認される視野周縁が略楕円形となる位置に配置されていることを特徴とする請求項１に記載の拡大観察用器具。
【請求項３】
前記拡大レンズに対する周囲のいずれかの位置に支持される光源装置および撮像装置の少なくとも一方をさらに備えることを特徴とする請求項１または請求項２に記載の拡大観察用器具。
【考案の詳細な説明】
【技術分野】
【０００１】
本考案は、観察対象を拡大して観察者に視認させるための拡大レンズを備える拡大観察用器具に関する。
【背景技術】
【０００２】
従来、医療分野における主に手術時に用いられることを想定した拡大観察用器具として、一対の拡大レンズがそれぞれ眼鏡の左右各レンズの前面に配置されるように、施術者の眼鏡に取り付けられる医療用双眼式ルーペが知られている。
【０００３】
例えば、この種の医療用双眼式ルーペとして、眼鏡の鼻掛け部付近で相互に噛合する歯車を設けるとともに、各拡大レンズをそれぞれ支持する支持杆の一端を各歯車に固定するように構成し、施術者が支持杆の他端に装着された一方の操作片を動かすだけで、その動力が歯車に伝達されて、一対の拡大レンズを同時に跳ね上げさせるものが提案されている（例えば、特許文献１参照）。
【０００４】
つまり、施術者が手術時に血管間や神経間の縫合のように細かい作業を必要とする場合には、操作片を下方に動かすことにより拡大レンズを眼鏡のレンズ前面に配置させ、このような細かい作業が不要な場合には、操作片を上方に動かすことにより拡大レンズを施術者の前額部に向けて容易に跳ね上げさせることを意図したものである。
【先行技術文献】
【特許文献】
【０００５】
【特許文献１】特開２００３−２０７７２３号公報
【考案の概要】
【考案が解決しようとする課題】
【０００６】
しかし、従来の医療用双眼式ルーペには、上記のように、不要時に拡大レンズを跳ね上げさせる操作を如何に容易にするかについて工夫されたものはあるが、施術者が観察対象を拡大視認する際の使用感を踏まえた上での真に使い勝手のよいものがあるとは言い難い状況であった。
【０００７】
具体的には、従来の医療用双眼式ルーペには、拡大レンズの形状が、眼鏡のレンズに沿った形状や正円の形状のものしかなかったため、前者のように眼鏡のレンズに沿った形状では、施術者にとっての不要時がごく短時間の間であっても、拡大レンズを跳ね上げさせる操作が必要となり、施術者にこの操作が煩わしいと感じさせてしまう可能性があった。
【０００８】
また、後者のように正円の形状では、その大きさを眼鏡のレンズよりも小さくしておけば、不要時には施術者の目の移動（顔を動かすことによる目の移動も含む）により、観察対象を拡大して視認したり等倍で視認したりすることを瞬時に切り替え可能に構成できるものの、施術者が拡大レンズを通して視認する際の視野が狭くなるため、使用感が損なわれてしまう可能性があった。
【０００９】
本考案は、上記問題に鑑みてなされたものであり、観察対象を拡大視認する際の使用感を踏まえた上での真に使い勝手のよい拡大観察用器具の提供を目的とする。
【課題を解決するための手段】
【００１０】
上記目的を達成するためになされた本考案は、観察者の顔の一部または頭部に着用される着用物に取り付けられて、観察対象を拡大してその観察者に視認させるための一対の拡大レンズを備える拡大観察用器具である。なお、拡大観察用器具において、拡大レンズは、観察者の目に対する前方位置に支持されている。
【００１１】
ここで、本考案では、拡大レンズが、上記の前方位置にて、観察者の目の縦方向への移動に伴う視線領域を、観察者の目の横方向への移動に伴う視線領域よりも広くカバーする縦長形状を有し、且つ、上記の前方位置として、観察者の目の横方向外側への移動に伴う視線領域を、観察者の目の横方向内側への移動に伴う視線領域よりも狭くカバーする位置に配置されている構成とした。
【００１２】
このような構成では、拡大レンズが上記のように縦長形状を有しているため、正円の形状である場合と比較して、観察者の目の縦方向への移動に伴う視線領域が広くカバーされている分、観察者が拡大レンズを通して視認する際の視野をより広く確保することが可能となる。
【００１３】
また、観察者の目の横方向内側への移動に伴う視線領域と比べて、観察者の目の横方向外側への移動に伴う視線領域が、拡大レンズにおいて狭くカバーされている分、不要時には観察者の目の横方向外側への移動（顔を動かすことによる目の移動も含む）により、観察対象を拡大して視認したり等倍で視認したりすることを、瞬時に切り替え可能に構成できる。
【００１４】
さらに、逆に言えば、観察者の目の横方向外側への移動に伴う視線領域と比べて、観察者の目の横方向内側への移動に伴う視線領域が、拡大レンズにおいて広くカバーされている分、観察者の両目によって好適に観察対象を視認させることが可能となる。
【００１５】
したがって、本考案によれば、観察者にとっての不要時がごく短時間の間であっても、拡大レンズを跳ね上げさせることなく、瞬時に観察者の視認形態を切り替え可能にし、必要時には好適に観察対象を視認させることが可能となるため、観察対象を拡大視認する際の使用感を踏まえた上での真に使い勝手のよい拡大観察用器具を提供することができる。
【００１６】
なお、本考案において、拡大観察用器具は、医療用に限らず、製造や研究、開発等、あらゆる場において細かい作業（単なる観察も含む）を行う用途に使用することができる。また、観察者の顔の一部または頭部に着用される着用物として、眼鏡に限らず、例えばヘッドギアやヘッドバンド等に着脱自在に取り付けられる態様、あるいは予め固定されて取り付けられている態様等、各種の態様を採用することができる。
【００１７】
ところで、本考案において、拡大レンズが観察者の左右いずれか一方の目に対する前方位置に支持されていてもよいが、観察者の両目の各々に対する前方位置に支持される一対の拡大レンズを備えるほうが好ましい。
【００１８】
また、拡大レンズは、矩形状に形成されていてもよいが、曲線形状を有し、且つ、一対の拡大レンズを備える構成では、上記の前方位置として、観察者の両目によって拡大視認される視野周縁が略楕円形となる位置に配置されているとなおよい。
【００１９】
このような構成によれば、矩形状のものと比べて、拡大レンズを通した視野を広く確保しつつ、その視野周縁を観察者に認知させやすくなるため、観察対象を拡大して視認したり等倍で視認したりして行う視認形態の切り替えを容易にし、観察者の使用感をより向上させることができる。
【００２０】
なお、本考案は、拡大レンズに対する周囲のいずれかの位置（例えば、一対の拡大レンズの間）に支持される光源装置および撮像装置の少なくとも一方をさらに備える構成であってもよい。例えば、光源装置を備える構成によれば、観察者の視線に沿って好適に光を観察対象に照射することができ、撮像装置を備える構成によれば、観察者の視線に沿って好適に観察対象を含む画像を得ることができる。また、光源装置付きの撮像装置を備える構成によれば、上記画像の明瞭度を上げたり、撮像領域を好適に観察者に知得させたりすることができる。
【図面の簡単な説明】
【００２１】
【図１】（ａ）は、拡大観察用器具の全体構成を例示する使用図であり、（ｂ）は、拡大観察用器具の本体部の構成を例示する斜視図である。
【図２】（ａ）は、拡大レンズの構成を例示する正面図であり、（ｂ）は、拡大観察用器具の変形例を示す斜視図である。
【考案を実施するための形態】
【００２２】
以下に、本考案が適用された実施形態の拡大観察用器具としての医療用双眼式ルーペについて説明する。なお、医療用双眼式ルーペは、医師や看護士等の使用者によって、患者の耳腔や鼻腔、口腔、瞳孔、喉といった内腔を目視（観察）しながら、施術する等、何らかの細かい作業を行うために用いられる双眼式ルーペである。また、医療用双眼式ルーペの使用者を、以下では、観察者と称する。
【００２３】
図１（ａ）に示すように、医療用双眼式ルーペ１は、眼鏡に取り付けることで観察者の目の前方に装着される本体部１０と、使用者の衣服の一部（本実施形態では胸ポケット）に収容されるバッテリ２０と、本体部１０とバッテリ２０とに接続されるバッテリ用ケーブル３０とを備える。
【００２４】
なお、本体部１０には、観察者が医療用双眼式ルーペ１を装着すると、観察者の視線側が光の照射方向および撮像方向となる光源装置付きカメラ３が設けられている。光源装置付きカメラ３は、例えば、バッテリ２０から供給される電力によって駆動するＣＣＤカメラの周囲等に光源装置が設けられたものであり、光源装置としては、バッテリ２０から供給される電力によって発光する周知のＬＥＤ（発光ダイオード）やＬＤ（レーザダイオード）が用いられる。
【００２５】
また、本体部１０には、観察者が医療用双眼式ルーペ１を装着すると、眼鏡の左右各レンズの前面にそれぞれ配置される一対の拡大レンズ１１が設けられている。
図１（ｂ）に示すように、本体部１０は、一対の拡大レンズ１１と、光源装置付きカメラ３を収容するハウジング１３と、観察者の眼鏡における鼻掛け部付近でレンズおよびレンズの周辺部分の少なくとも一部を上方から挟持するクリップ部１５と、クリップ部１５とハウジング１３とを連結する連結部１７と、一対の拡大レンズ１１を支持する支持部１９とを備える。
【００２６】
連結部１７は、ハウジング１３を眼鏡の上下方向に回動する上下回動機構１２と、支持部１９を保持する保持部材１６とを備えて構成される。上下回動機構１２は、ハウジング１３（つまり、光源装置付きカメラ３側）に固定されたカメラ側固定棒１２ａと、保持部材１６と一体に形成されてカメラ側固定棒１２ａの中心軸を回動するカメラ側回動部１２ｂとを有する。保持部材１６は、断面コの字型に形成され、クリップ部１５とともに支持部１９を挟持するように構成されている。
【００２７】
クリップ部１５は、カメラ側回動部１２ｂと一体に形成されて眼鏡のレンズ前面に当接する一対の固定アーム２２と、固定アーム２２に対向配置されて眼鏡のレンズ後面に当接する一対の可動アーム２４とを有して構成される。なお、固定アーム２２および可動アーム２４の各々における眼鏡レンズとの当接部分には、眼鏡レンズに傷をつけない程度の弾力性を有する樹脂部材が外挿されている。
【００２８】
また、クリップ部１５は、観察者の指で押下される形状の鍔部２６と、可動アーム２４を固定アーム２２側に付勢するバネ部２８とを有する。バネ部２８は、一本のワイヤーの両端が鍔部２６に接続されるとともに、そのワイヤーにおける少なくとも一部が、一対の可動アーム２４と一体に構成された部位に巻きつかれてなる。そして、クリップ部１５では、可動アーム２４がバネ部２８を介して鍔部２６に連設されて、鍔部２６の押下に連動して可動アーム２４が固定アーム２２から離間するようになっている。
【００２９】
このように、クリップ部１５では、観察者が鍔部２６の押下によって可動アーム２４を固定アーム２２から離間させ、眼鏡におけるレンズ上方のブリッジの周辺部分にて、固定アーム２２をレンズ前面に当接させた状態で鍔部２６への加力を止めると、可動アーム２４がレンズ後面に当接し、可動アーム２４の付勢力によってハウジング１３および拡大レンズ１１が眼鏡に固定される。
【００３０】
このとき、連結部１７におけるカメラ側固定棒１２ａが眼鏡のレンズ上方のフレームに略平行となるように配置されるので、上下回動機構１２では、カメラ側回動部１２ｂが、カメラ側固定棒１２ａと眼鏡のフレームとのおよその平行軸を中心に回動することにより、ハウジング１３（ひいては、光源装置付きカメラ３）がカメラ側回動部１２ｂに連動し、光の照射方向や撮像方向が観察者の視線に対する上下方向に調整可能となる。なお、上下回動機構１２では、光の照射方向や撮像方向の調整範囲に対応して、外部から一定量以上の押力によってハウジング１３の移動可能な範囲が予め決められている。
【００３１】
一方、支持部１９は、上下回動機構１２によるハウジング１３の移動とは独立して、一対の拡大レンズ１１を眼鏡の上下方向に回動するように構成されている。具体的には、支持部１９は、保持部材１６に固定された保持部側固定棒１９ａと、保持部側固定棒１９ａの両端部に軸支され、一対の拡大レンズ１１における上方内側部の裏面がそれぞれ接合されたレンズ側回動部１９ｂとを有する。
【００３２】
また、支持部１９では、レンズ側回動部１９ｂが保持部側固定棒１９ａの中心軸を回動するように軸支されている。そして、支持部１９における保持部側固定棒１９ａが眼鏡のレンズ上方のフレームに略平行となるように配置されるので、支持部１９では、レンズ側回動部１９ｂが、保持部側固定棒１９ａと眼鏡のフレームとのおよその平行軸を中心に回動することにより、一対の拡大レンズ１１がレンズ側回動部１９ｂに連動し、観察者の両目の各々に対する前方位置から上方位置に跳ね上げられる。
【００３３】
このように、支持部１９では、観察者にとって不要とされる時間が比較的長い場合には、観察者が一対の拡大レンズ１１のうちいずれか一方の上面と下面とを指で挟持し、その下面を上斜め前方に移動させることにより、一対の拡大レンズ１１を連動して跳ね上げさせることができるようになっている。
【００３４】
図２（ａ）に示すように、一対の拡大レンズ１１は、各々のレンズの中心点Ｐが、観察者の平均的な左目と右目との距離として予め設定された両目距離（例えば６２ｍｍ）だけ離間する位置に配置され、中心点Ｐを有する基となる正円の拡大レンズ（以下「基レンズ」）１１ａが一部重なるように設計されている。なお、基レンズ１１ａは、所定の拡大倍率を有し、例えば削り加工される前の拡大レンズ１１の基となるレンズである。
【００３５】
一方、拡大レンズ１１は、以下の形状となるように、基レンズ１１ａが削り加工されて形成されたレンズである。即ち、一方の拡大レンズ１１が、他方に対して左右対称となり、横方向外側に丸みを帯びる曲線形状を有し、且つ、各々の拡大レンズ１１が、観察者の目の縦方向への移動に伴う視線領域Ａ１を、観察者の目の横方向への移動に伴う視線領域Ａ２よりも広くカバーする縦長形状を有するレンズである。例えば、拡大レンズ１１は、レンズの中心点Ｐを通る横幅が約２０〜３０ｍｍであるのに対し、レンズの中心点Ｐを通る縦幅が約３３〜４３ｍｍに設計されている。
【００３６】
また、拡大レンズ１１は、以下の配置となるように、支持部１９のレンズ側回動部１９ｂに接合されている。即ち、一対の拡大レンズ１１が、観察者の両目によって拡大視認される視野周縁が略楕円形となり、且つ、各々の拡大レンズ１１が、観察者の目の横方向外側への移動に伴う視線領域Ａ３を、観察者の目の横方向内側への移動に伴う視線領域Ａ４よりも狭くカバーする配置である。例えば、拡大レンズ１１は、レンズの中心点Ｐを通る横幅が約２４．５〜２６．５ｍｍである場合、そのうち中心点Ｐから横方向内側の縁までの距離が１３〜１４ｍｍであるのに対し、中心点Ｐから横方向外側の縁までの距離が１１．５〜１２．５ｍｍに設計されている。
【００３７】
＜効果＞
以上説明したように、医療用双眼式ルーペ１では、拡大レンズ１１と同一平面上における観察者の視線の先が、例えば中心から横方向外側に１１．５〜１２．５ｍｍずれるだけで、観察者は拡大レンズ１１を通さずに観察対象を視認することが可能となる。
【００３８】
また、医療用双眼式ルーペ１では、拡大レンズ１１が縦長形状を有しているため、正円の形状である場合と比較して、観察者の目の縦方向への移動に伴う視線領域が広くカバーされている分、観察者は拡大レンズ１１を通して視認する際の視野をより広く確保することが可能となる。
【００３９】
したがって、医療用双眼式ルーペ１によれば、例えば観察者にとっての不要時がごく短時間の間である場合には、拡大レンズ１１を跳ね上げさせることなく、瞬時に観察者の視認形態を拡大視認から等倍視認へ、または等倍視認から拡大視認に切り替えることが可能となり、必要時には好適に観察対象を視認させることができる。
【００４０】
また、医療用双眼式ルーペ１では、拡大レンズ１１が、曲線形状を有し、且つ、観察者の両目によって拡大視認される視野周縁が略楕円形となる位置に配置されているため、矩形状のものと比べて、拡大レンズ１１を通した視野を広く確保しつつ、その視野周縁を観察者に認知させやすくなる。よって、観察対象を拡大して視認したり等倍で視認したりして行う視認形態の切り替えを容易にし、観察者の使用感をより向上させることができる。
【００４１】
さらに、医療用双眼式ルーペ１では、一対の拡大レンズ１１の間に支持される光源装置付きカメラ３備えるため、観察者の視線に沿って好適に光を観察対象に照射することができ、観察者の視線に沿って好適に観察対象を含む画像を得ることができる。具体的には、光源装置としてＬＥＤを用いる場合、画像の明瞭度を上げることができ、光源装置としてＬＤを用いる場合、撮像領域を好適に観察者に知得させることができる。
【００４２】
＜他の実施形態＞
以上、本考案の実施形態について説明したが、本考案は上記実施形態に限定されるものではなく、本考案の要旨を逸脱しない範囲において、様々な態様にて実施可能である。
【００４３】
例えば、上記実施形態の医療用双眼式ルーペ１は、医療用に限らず、製造や研究、開発等、あらゆる場において細かい作業（単なる観察も含む）を行う用途に使用できる。
また、上記実施形態の医療用双眼式ルーペ１は、観察者の顔の一部または頭部に着用される着用物として、眼鏡に限らず、図２（ｂ）に示すように、例えばヘッドギアやヘッドバンド等に着脱自在に取り付けられる態様、あるいは予め固定されて取り付けられている態様等、各種の態様を採用することができる。
【００４４】
また、上記実施形態の医療用双眼式ルーペ１では、支持部１９において、レンズ側回動部１９ｂが保持部側固定棒１９ａの中心軸を回動するように軸支されているが、これに限らず、レンズ側回動部１９ｂ（ひいては、拡大レンズ１１）が横方向に移動可能に保持部側固定棒１９ａに軸支されてもよい。
【００４５】
また、上記実施形態の医療用双眼式ルーペ１では、拡大レンズ１１が着脱自在にレンズ側回動部１９ｂに支持されてもよいし、複数の拡大レンズ１１を重ねて配置できるように、レンズ側回動部１９ｂに拡大レンズ１１を入れ替えるための支持枠が設けられてもよい。
【００４６】
なお、上記実施形態の医療用双眼式ルーペ１では、一対の拡大レンズ１１を備える構成であるが、観察者の左右いずれか一方の目に対する前方位置に支持される一つの拡大レンズ１１を備える構成であってもよい。
【符号の説明】
【００４７】
１…医療用双眼式ルーペ、３…照明装置付きカメラ、１１…拡大レンズ。
【図１】
0003183362.tif 000003
【図２】
0003183362.tif 000004